(57)【特許請求の範囲】
【請求項１】
連続的に送られてくる広幅の帯状シートを所定の幅及び長さを有する複数のカットシートに裁断する方法であって、前記広幅の帯状シートを第１スリッターにより、その広幅の帯状シートの耳の裁ち屑及び所要幅の複数の一次帯状シートに一斉に分割しながら、前記複数の一次帯状シートを夫々帯状シート幅方向に並ぶ順に交互に前後に振り分けて走行させ、振り分け後の走行中の一次帯状シートを夫々第２スリッターによりその一次帯状シートの耳の裁ち屑及び所定幅の二次帯状シートに分割して、その二次帯状シートをロータリーカッターに供給し、該ロータリーカッターにより前記二次帯状シートを所定長さごとに帯状シート幅方向に沿って切断することを特徴とする裁断方法。
【発明の詳細な説明】
【技術分野】
【０００１】
本発明は、連続的に送られてくる広幅の帯状シートを所定の幅と長さを有するカットシートに裁断する裁断方法に関する。
【背景技術】
【０００２】
従来、この帯状シートから所定幅で所定長さのカットシートを形成するには、連続的に供給される広幅の帯状シートをスリッターにより所定幅の複数の帯状シートに分割しながら、その分割された所定幅の帯状シートを、前記スリッターの下流に設けたロータリーカッターへ供給し、そのロータリーカッターにより所定幅の帯状シートを所定長さごとに帯状シート幅方向沿いに切断する（下記特許文献１参照）。
【０００３】
ところが、帯状シートが例えば光学用途のプラスチックフィルムのように厚みが大きく比較的柔らかく変形し易いものである場合、上述のような従来の裁断方法を用いると、次のような問題を生じる。即ち、裁断されたカットシートは、その長手方向の切断部分に大きいカエリが生じたり、その切断面の凹凸が大きくなったりして、不良品になることが多い。
【０００４】
また、従来、帯状シートを間欠的に打抜き装置へ供給し、打抜き装置により所定の幅と長さに打抜くことによりカットシートを形成することもあるが、この場合、帯状シートの送りが完全に一度止まってから打ち抜き、それから送り、打ち抜き・送りの交互になるので、生産速度が上げられず、生産性を向上させることができない。
【特許文献１】特開平１０−９４９９５号公報
【発明の開示】
【発明が解決しようとする課題】
【０００５】
上述のような問題点に鑑み、本発明は、連続的に送られてくる広幅の帯状シートを所定の幅及び長さを有する複数のカットシートに能率的に裁断すると共に、切断面がきれいなカットシートを得ることを課題としている。
【課題を解決するための手段】
【０００６】
そこで、本発明は、連続的に送られてくる広幅の帯状シートを所定の幅及び長さを有する複数のカットシートに裁断する方法であって、前記広幅の帯状シートを第１スリッターにより、その広幅の帯状シートの耳の裁ち屑及び所要幅の複数の一次帯状シートに一斉に分割しながら、前記複数の一次帯状シートを夫々帯状シート幅方向に並ぶ順に交互に前後に振り分けて走行させ、振り分け後の走行中の一次帯状シートを夫々第２スリッターによりその一次帯状シートの耳の裁ち屑及び所定幅の二次帯状シートに分割して、その二次帯状シートをロータリーカッターに供給し、該ロータリーカッターにより前記二次帯状シートを所定長さごとに帯状シート幅方向に沿って切断することを特徴とする。
【発明の効果】
【０００７】
本発明では、一次帯状シートの耳の裁ち屑は二次帯状シート比べて幅が狭いので、第２スリッターにより一次帯状シートを分割するとき、一次帯状シートの耳の部分が、第２スリッターの刃の切込みを受けて刃の厚み分だけ競り合っても、その耳の裁ち屑は容易に刃から幅方向に逃げることができる。そのため、一次帯状シートに切り込んだ第２スリッターの刃と、一次帯状シートの、刃の切込みを受けた部分の競り合いが緩和される。それゆえ、複数の一次帯状シートを夫々帯状シート幅方向に並ぶ順に交互に前後に振り分けて走行させ、振り分け後の走行中の一次帯状シートを夫々第２スリッターによりその一次帯状シートの耳の裁ち屑及び所定幅の二次帯状シートに分割することにより、切断端のカエリや切断面の凹凸が小さくなり、切断面のきれいな二次帯状シートを得ることができる。そして第１スリッターにより広幅の帯状シートを分割するとき、広幅の帯状シートに切り込んだ第１スリッターの刃と、その刃の切込みを受けた部分とが、刃の厚み分だけ幅方向に競り合うことにより、一次帯状シートの切断端にカエリが生じたり切断面の凸凹が大きくなったりしても、切断面のきれいな二次帯状シートをロータリーカッターに供給して、次々とカットシートを形成することができる。したがって本発明によれば切断面がきれいなカットシートを能率的に得ることができ、歩留が大幅に向上する。また広幅帯状シートを打抜き加工する場合に比べて、シート長手方向の打抜きしろが不要なのでシート長手方向の無駄がなくなりシートが節約できる。しかも裁断中に広幅の帯状シートの送りを停止しないので、従来よりも加工速度を上げることができる。
【発明を実施するための最良の形態】
【０００８】
図１は本発明の一実施例に係る裁断方法を実施するための裁断装置の要部を示す斜視図であり、この裁断装置は、連続的に送られてくる広幅の帯状シートＳ０を所定の幅及び長さを有する複数のカットシートＣＳに裁断するためのものであり、広幅の帯状シートＳ０を、その帯状シートＳ０の両耳の裁ち屑Ｔ１、Ｔ１、及び所要幅の複数の一次帯状シートＳ１に一斉に分割する第１スリッター１と、複数の一次帯状シートＳ１を夫々帯状シート幅方向に並ぶ順に交互に前後に振り分けて走行させるための案内ローラ２、２、及び供給ローラ３、３と、振り分け後の走行中の各一次帯状シートＳ１を、夫々その両耳の裁ち屑Ｔ２、Ｔ２、及び所定幅の二次帯状シートＳ２に分割する、案内ローラ２と供給ローラ３の間に設けた第２スリッター４、４と、走行してくる二次帯状シートＳ２を所定長さごとに帯状シート幅方向に沿って切断するロータリーカッター５とを備える。
【０００９】
広幅の帯状シートＳ０は、図示しない原反ロールから巻き戻され、送りローラ６を経て第１スリッター１へ連続的に送られる。送りローラ６は、設定した速度で回転することができる被駆動ローラであり、その外周面に広幅の帯状シートＳ０を滑らないよう押し付けるためのニップローラ６ａを有している。
【００１０】
第１スリッター１は、図１に示す実施例では公知のシェアカッターであり、環状の下刃７と、下刃７に噛み合う円板状の上刃８を複数組備えており、下刃７は下刃ローラ９に装着し、上刃８は回転軸１０に装着してある。下刃７と上刃８とは夫々回転しながら、互いの噛み合い部分を通過する帯状シートＳ０をその長手方向に沿って切断することができる。互いに噛み合う上刃７と下刃８は広幅の帯状シートＳ０の両耳部の２箇所と、その間の２箇所に配置してある。図１では一次帯状シートＳ１は３条あるが、本発明では第１スリッターによる広幅の帯状シートの分割数は必要に応じて変わり得る。
【００１１】
第２スリッター４も、この実施例ではシェアカッターであり、前後に振り分けた一次帯状シートＳ１が走行する前側及び後側の走行経路に夫々配置してある。そして環状の下刃１１と、この下刃１１に噛み合う円板状の上刃１２を複数組備えており、下刃１１は下刃ローラ１３に装着し、上刃８は回転軸１４に装着してある。下刃１１と上刃１２とは夫々回転しながら、互いの噛み合い部分を通過する帯状シートＳ１をその長手方向に沿って切断することができる。互いに噛み合う上刃１１と下刃１２は各一次帯状シートＳ１の両耳部に夫々に配置してある。
【００１２】
下刃ローラ９及び下刃ローラ１３及び供給ローラ３は、夫々送りローラ６の送り速度と同じ速度で一次帯状シートＳ１を送ることができる被駆動ローラである。また供給ローラ３は、その外周面に一次帯状シートＳ１を滑らないよう押し付けるためのニップローラ３ａを有している。
【００１３】
二次帯状シートＳ２を所定長さごとに帯状シート幅方向に沿って切断することができるようにするために、ロータリーカッター５は、例えばクロム鍍金した円筒状の外周面で二次帯状シートＳ２を裏受けする被駆動の裏受けローラ１５と、この裏受けローラ１５に平行に設けた被駆動の円筒状の回転体１６に装着した、二次帯状シートＳ２の幅方向に平行な切断刃１７とからなり、切断刃１７が回転体１６と共に回転して、切断刃１７の刃先が裏受けローラ１５の外周面に当たったとき、裏受けローラ１５上の二次帯状シートＳ２を切断することができる。そして裏受けローラ１５、並びに回転体１６上の切断刃１７は、供給ローラ３による二次帯状シートＳ２の送り速度と同じ速度で回転し、切断刃１７が回転体１６の中心軸線の回りに１回転する間に裏受けローラ１５上の二次帯状シートＳ２は、カットシートＣＳの長さに等しい長さだけ送り出されるようにしてある。なお、必要に応じ上述のロータリーカッター５に代え、例えば、二次帯状シートを挟むように配置した、夫々二次帯状シートの幅方向に平行な軸を中心に回転する二つの切断刃を備え、この二つの切断刃の噛み合いにより二次帯状シートを切断する公知のロータリーカッターを用いてもよい。ロータリーカッター５により切断されたカットシートＣＳは下方に積層されるようにしてある。
【００１４】
第１スリッターにより分割された広幅の帯状シートＳ０の両耳の裁ち屑Ｔ１、Ｔ１、及び第２スリッターにより分割された一次帯状シートＳ１の両耳の裁ち屑Ｔ２、Ｔ２を引き取って処理するために公知の裁ち屑処理装置１８が第１スリッター１の下方に設けてある。
【００１５】
上述のように構成された裁断装置により、連続的に送られてくる広幅の帯状シートＳ０を所定の幅及び長さを有する複数のカットシートＣＳに裁断するには、裁断を開始する前に、広幅の帯状シートＳ０の先端を送りローラ６から第１スリッター１の下刃ローラ９と上刃８の間に導き、第１スリッター１により分割して複数の一次帯状シートＳ１とし、その一次帯状シートＳ１を、前後の案内ローラ２、２の間を通過させた後、夫々帯状シート幅方向に並ぶ順に交互に前後へ振り分け、第２スリッター４の下刃ローラ１３と上刃１２の間を通過させ、第２スリッター４により分割して二次帯状シートＳ２とし、この二次帯状シートＳ２を、供給ローラ３を経てロータリーカッター５の裏受けローラ１５と回転体１６との間に通すと共に、耳の裁ち屑Ｔ１、Ｔ１及び耳の裁ち屑Ｔ２、Ｔ２の先端部を夫々裁ち屑処理装置１８に導いて裁断の準備をしておく。
【００１６】
第１スリッター１による広幅の帯状シートＳ０の切断幅は、カットシートＣＳの所定幅に一次帯状シートＳ１の両耳の裁ち屑Ｔ２、Ｔ２の幅を夫々加えた幅になる。裁ち屑処理装置１８への耳の裁ち屑Ｔ２の引取張力は極力低張力であるのが望ましく、また耳の裁ち屑Ｔ２の幅は、破断等の支障が生じない範囲で極力狭いほうがよい。
【００１７】
裁断の準備ができた後、送りローラ６、供給ローラ３、第１スリッター１、第２スリッター４、ロータリーカッター５及び裁ち屑処理装置１８を一斉に始動すると、次のような裁断方法が実行される。
【００１８】
即ち、広幅の帯状シートＳ０を第１スリッター１によりその帯状シートＳ０の両耳の裁ち屑Ｔ１、Ｔ１及び所要幅の複数の一次帯状シートＳ１に一斉に分割しながら、複数の一次帯状シートＳ１を夫々帯状シート幅方向に並ぶ順に交互に前後に振り分けて走行させ、振り分け後の走行中の一次帯状シートＳ１を、夫々第２スリッター４によりその帯状シートＳ１の両耳の裁ち屑Ｔ２、Ｔ２及び所定幅の二次帯状シートＳ２に分割して、その二次帯状シートＳ２をロータリーカッター５に供給し、このロータリーカッター５により二次帯状シートＳ２を所定長さごとに帯状シート幅方向沿いに切断する。それによって、連続的に送られてくる広幅の帯状シートＳ０は所定幅で所定長さのカットシートＣＳに裁断される。
【図面の簡単な説明】
【００１９】
【図１】本発明の一実施例に係る裁断方法を実施するための裁断装置の要部を示す斜視図である。
【符号の説明】
【００２０】
Ｓ０  広幅の帯状シート
Ｓ１  一次帯状シート
Ｓ２  二次帯状シート
Ｔ１  広幅帯状シートの耳の裁ち屑
Ｔ２  一次帯状シートの耳の裁ち屑
１  第１スリッター
２  案内ローラ
３  供給ローラ
４  第２スリッター
５  ロータリーカッター
６  送りローラ
７  下刃
８  上刃
９  下刃ローラ
１０  回転軸
１１  下刃
１２  上刃
１３  下刃ローラ
１４  回転軸
１５  裏受けローラ
１６  円筒体
１７  切断刃
１８  裁ち屑処理装置
【図１】
0004978333.tif 000002